Podtech/llm-jp-corpus-v4-ja_patent huggingface dataset:
(57)【要約】【課題】集合住宅等の屋内現場で、各種パイプや電線等を支持する支持具を、サイズ・取り付け箇所の選択範囲が幅広い支持具にする。【解決手段】全ネジボルト貫通部１で、全ネジボルトに固定。ビス等の頭が隠れるビス穴５で壁面や天井面にビス等で固定。ビス貫通部２で、壁面や天井面にビス等で縦方向、横方向に固定。Ｌ字状で鋭角なＶ字状の溝を内壁に設けたラチェット機構のベルト貫通部３で、広範囲なサイズの、各種パイプ・電線等を固定。【選択図】図１
0003160334.tif 000002
【実用新案登録請求の範囲】
【請求項１】
ベルトの一端側にビスが貫通するビス穴と、それと垂直方向な位置に、上下段違いで平板状のツメを内壁に設ける全ネジボルト貫通口とを設けた箱型の取り付け部を有し、その取り付け部からベルト先端部に向けた位置に、Ｌ字状で一端側に一側面が鋭角なＶ字状のミゾを内壁に設けたベルト貫通部を有し、その先端側にビス等の頭が隠れる穴を設けたビス穴部を有し、ベルト片面に一側面が鋭角なＶ字状のミゾをベルトの長さ方向と垂直な方向に多数有している多用途支持具。
【考案の詳細な説明】
【技術分野】
【０００１】本考案は、集合住宅等の建設現場で、屋内の各種パイプや電線等を様々な場所で支持できる、多用途支持具に関するものである。
【背景技術】
【０００２】建造物の構造面に沿って各種パイプや電線等を支持する支持具で、構築面に接着される接着面を有する基板で構築面に固定し、基板の中央に取り付けられているバインド線で各種パイプや電線等を結んで支持するものが使用されてきたが、各種パイプや電線等のサイズや取付ける箇所が限られているため、手間と時間がかかる問題点を有していた。
【先行技術文献】
【特許文献】
【０００３】
【特許文献１】特許公開２００９−１３６１２１
【非特許文献】
【０００４】
【非特許文献１】「未来工業  電材総合カタログ２００９−２０１０」，Ｐ．４３６
【考案の概要】
【考案が解決しようとする課題】
【０００５】各種パイプや電線等を固定するのに、サイズ毎の支持具を使用しなければいけなく、支持する箇所毎にも支持具を選別しなければいけないため、複数の支持具を用意して使用しなければいけないので、手間や時間が掛かる。
【課題を解決するための手段】
【０００６】ベルトの一端側のビス穴で壁固定が可能、そのビス穴と垂直方向な位置に、上下段違いで平板状のツメを内壁に設ける貫通口により、ワンタッチ又はねじ込みながら全ネジボルトに固定可能、ベルト貫通部の先端側にビス等の頭が隠れる穴を設けたビス穴部で天井に固定可能で、集合住宅等の屋内現場の様々な場所に支持可能で、Ｌ字状で一端側に一側面が鋭角なＶ字状のミゾを内壁に設けたラチェット機構のベルト貫通部に、Ｖ字状のミゾをもつベルトと噛み合って、様々なサイズの各種パイプや電線等を支持可能にする。
【考案の効果】
【０００７】上述の様に、本考案の多用途支持具は、集合住宅等の屋内現場の様々な場所で、広範囲なサイズの各種パイプや電線等を支持することができる。その結果、従来は支持場所毎に支持具を用意し、各サイズに応じた支持具選定をしなければならなかったが、その必要が無くなり、あらゆる面での作業性が向上する。
【図面の簡単な説明】
【０００８】
【図１】本考案の一実施例を示す斜視図である。
【図２】図１の裏面の斜視図である。
【図３】図１に示す実施例の拡大断面図である。
【図４】本考案の使用状態図
【実施例】
【０００９】以下、添付図面に従って実施例を説明する。
図１において上下段違いで平板状のツメを内壁に設ける貫通口１は、図４のＡのように、ワンタッチ又はねじ込みながら全ネジボルトに固定される穴である。ビス貫通部２は、図４のＢのように、壁や天井等に対して垂直にビス等で直接固定することができる穴である。Ｌ字状で鋭角なＶ字状の溝を内壁に設けたラチェット機構のベルト貫通部３は、各種パイプや電線等を支持するために、ベルト先端部４を貫通させて各種パイプや電線等を固定する。ビス等の頭が隠れるビス穴５は、図４のＣのように、壁や天井等に対して、ビス等で直接固定することができるビス穴で、ビス等の頭が隠れる為、固定する各種パイプや電線等にキズを付けにくくなっている。箱型の取り付け部１１は、全ネジボルト貫通部と、ビス貫通部を設ける固定部である。【００１０】図２においてＶ字状の溝を有するベルト６は、Ｌ字状で鋭角なＶ字状の溝を内壁に設けたラチェット機構のベルト貫通部３に貫通させて、噛み合ってロックされる。【００１１】図３において上下段違いで平板状のツメを内壁に設ける貫通口の断面図７は、上下段違いの複数のツメで構成されており、ツメが全ネジボルトに食い込むことにより固定される。ベルト貫通部のＬ字状のラチェット機構部の断面図８は、Ｖ字状のベルトの溝の断面図１０と噛み合ってロックされる。ビス等の頭が隠れるビス穴の断面図９は、ビス等の頭が溝に隠れる構造になっている。
【符号の説明】
【００１２】１    上下段違いで平板状のツメを内壁に設ける貫通口
２    ビス貫通部
３    Ｌ字状で鋭角なＶ字状の溝を内壁に設けたラチェット機構のベルト貫通部
４    ベルト先端部
５    ビス等の頭が隠れるビス穴
６    Ｖ字状の溝を有するベルト
７    上下段違いで平板状のツメを内壁に設ける貫通口の断面図
８    ベルト貫通部のＬ字状のラチェット機構部の断面図
９    ビス頭が隠れるビス穴の断面図
１０  Ｖ字状のベルトの溝の断面図
１１  箱型の取り付け部
【図１】
0003160334.tif 000003
【図２】
0003160334.tif 000004
【図３】
0003160334.tif 000005
【図４】
0003160334.tif 000006
【手続補正書】
【提出日】平成22年3月25日(2010.3.25)
【手続補正１】
【補正対象書類名】実用新案登録請求の範囲
【補正対象項目名】請求項１
【補正方法】変更
【補正の内容】
【請求項１】
ベルトの一端側にビスが貫通するビス穴と、それと垂直方向な位置に、上下段違いで平板状のツメを内壁に設ける全ネジボルト貫通口とを設けた箱型の取り付け部を有し、その取り付け部からベルト先端部に向けた位置に、Ｌ字状で一端側に一側面が鋭角なＶ字状のミゾを内壁に設けたベルト貫通部を有し、その先端側にビスの頭が隠れる穴を設けたビス穴部を有し、ベルト片面に一側面が鋭角なＶ字状のミゾをベルトの長さ方向と垂直な方向に多数有している多用途支持具。
(57)【要約】      （修正有）【課題】熱吸収化学物質の熱吸収効果とアルミ金属の放熱効果を組合わせ自然に冷却の持続を高める構造の冷却マットを提供する。【解決手段】アルミ金属管１の内部に、熱吸収性化学物質２を入れ、樹脂蓋５にて密封し、合成樹脂クッション３と合成樹脂腺４にて、すのこ状に配し固定する。アルミ冷却部品６をすのこ状に配しすることで、体に感じるアルミ金属の硬さを和らげ、隙間から湿気や熱を逃がしやすくし自然に半永久的冷却効果が持続する構造のアルミ冷却マット７。【選択図】図１
0003160333.tif 000002
【実用新案登録請求の範囲】
【請求項１】
アルミ金属管の内部に熱吸収性物質を入れ密封、このアルミ冷却部品を上下左右に組合わせる構造のアルミ冷却マット。
【考案の詳細な説明】
【考案の詳細な説明】
【技術分野】
【０００１】本考案は、人やペットの体感温度を自然に冷却させるため、アルミ金属の放熱効果と熱吸収性化学物質の熱吸収効果を組合せた構造のアルミ冷却マットに関するものである。
【背景技術】
【０００２】従来の冷却マットは、熱吸収ジェルを袋に包んだ構造で、熱吸収効果のみで放熱効果が低いため、冷却が持続しない現状がある。
【考案が解決しようとする課題】
【０００３】熱吸収化学物質の熱吸収効果とアルミ金属の放熱効果を組合わせ自然に冷却の持続を高める構造の冷却マット。
【課題を解決するための手段】
【０００４】（１）アルミ金属管の内部に、（２）熱吸収性化学物質を入れ、（５）樹脂蓋にて密封し、（３）合成樹脂クッションと（４）合成樹脂腺にて、すのこ状に配し固定する。（６）アルミ冷却部品をすのこ状に配しすることで、体に感じるアルミ金属の硬さを和らげ、隙間から湿気や熱を逃がしやすくし自然に半永久的冷却効果が持続する構造の（７）アルミ冷却マット。
【考案を実施するための形態】
【０００５】実施例（図１のアルミ冷却マット組立図）に示したが、この方法に限定するものではない。
【０００６】（１）アルミ金属管の内部に、（２）熱吸収性化学物質を入れ、（５）樹脂蓋にて密封し、（３）合成樹脂クッションと（４）合成樹脂腺にて固定、（６）アルミ冷却部品をすのこ状に配しする構造の（７）アルミ冷却マット。
【０００７】実例では、（６）アルミ冷却部品の配置をすのこ状の長方形としたが、例えば碁盤目状の形や長円状の形やハート状の形などは自由で制限するものではない。
【０００８】実例では、（２）熱吸収性化学物質（吸収性ポリマー・ジェル水）を入れたが、例えば熱吸収性化学物質は、固体、気体など自由で制限するものではない。
【０００９】実例では、（１）アルミ金属管の両側面を（５）樹脂蓋にて密封しが、、例えば金属蓋など自由で制限するものではない。
【００１０】実例では、（６）アルミ冷却部品をすのこ状に固定する場合、（３）合成樹脂クッションと（４）合成樹脂線を使用したが、例えば布製や金属製での固定など自由で制限するものではない。
【００１１】実例では、（６）アルミ冷却部品を長丸形としたが、例えば長方形やハート型など自由で制限するものではない。
【００１２】実例では、寝具にて使用する場合、（７）アルミ冷却マットに高反発ウレタンマットの二重構造にすると体の曲線に沿って（６）アルミ冷却部品がフィットし反発性ウレタンがバランスよく体をささえ理想的な寝姿勢を保ち安眠が持続する。
【考案の効果】
【００１３】アルミ冷却マットは人やペットを対象とし、冷房を使用せず自然に、冷却効果を半永久的に得られる地球にやさしいマットです。アルミ冷却部品をすのこ状に配しすることで、体に感じる硬さを和らげ隙間から湿気や熱を逃がしやすい構造です。
【図面の簡単な説明】
【図１】  本考案のアルミ冷却マット組立図の一例
【符号の説明】（１）・・・アルミ金属管
（２）・・・熱吸収性化学物質
（３）・・・合成樹脂クッション
（４）・・・合成樹脂腺
（５）・・・樹脂蓋
（６）・・・アルミ冷却部品
（７）・・・アルミ冷却マット
【図１】
0003160333.tif 000003
【手続補正書】
【提出日】平成22年3月18日(2010.3.18)
【手続補正１】
【補正対象書類名】実用新案登録請求の範囲
【補正対象項目名】全文
【補正方法】変更
【補正の内容】
【実用新案登録請求の範囲】
【請求項１】
アルミ金属管の内部に熱吸収性物質を入れ密封したアルミ冷却部品を上下左右に組合わせる構造のアルミ冷却マット。
(57)【要約】【課題】本を見ながら字を書いたり、作業をするときにスムーズに動作が取れるようにするために本のページを開いたまま留める道具を提供する。【解決手段】一本の錆びにくいステンレスや鉄にメッキをした素材の針金を複数の決めた位置で屈曲させて針金と針金の両端を溶接でつなぎ合わせてページを留める部分をつまんで引っぱり、その下に本を差し込んで使用できるようする。【選択図】図１
0003160372.tif 000002
【実用新案登録請求の範囲】
【請求項１】
一本の錆びにくいステンレスや鉄にメッキをした素材の針金を複数の決めた位置で屈曲させて針金と針金の両端を溶接でつなぎ合わせて加工しページを留める部分を上につまんで引っぱりその下に本を差し込んで使用することを特徴とする本のページを開いたまま留める道具である。
【考案の詳細な説明】
【技術分野】
【０００１】
本考案は、本のページを開いたまま留める道具である。
【背景技術】
【０００２】
本のページを記憶させるのにしおりや譜面台が広く知られている。そして、文献には、書籍のひらき保持具などがある。
【先行技術文献】
【特許文献】
【０００３】
【特許文献１】特開平9-20091号公報
【考案の概要】
【考案が解決しようとする課題】
【０００４】
従来あったしおりはページを記憶させるだけで譜面台は地面から目の見える位置にくるようになっているだけで、机の上や外出先では使いにくくなっていた。そして、文献では書籍のひらき保持具などがあるが機能はそれほど変わらないが軽量化には問題がある。
【課題を解決するための手段】
【０００５】
本考案は一本の針金を複数の決めた位置で連続して屈曲させて加工することで本のページを開いたまま留める道具が課題を解決するものである。
【考案の効果】
【０００６】
本考案に係るページを開いたまま留める道具は針金が錆びにくいステンレスや鉄にメッキをした素材で針金を屈曲させて製造することで軽量化でき外出先や机の上での使用が出来るようになる。
【図面の簡単な説明】
【０００７】
【図１】本考案に係る本のページを開いたまま留める道具の立体図表面である。
【図２】本考案に係る本のページを開いたまま留める道具の立体図裏面である。
【考案を実施するための形態】
【０００８】
図１に示すように、１本のページを開いたまま留める道具の本体の材料である２針金を３屈曲部、４屈曲部、５屈曲部、６屈曲部、７屈曲部、８屈曲部のそれぞれの位置で屈曲させて９針金の両端を溶接でつなぎ合わせて加工するものである。そして、１０ページを留める部分を上につまんでひっぱり、その下に本を差し込んで使用する。
【符号の説明】
【０００９】
１  本のページを開いたまま留める道具の本体
２  針金
３  屈曲部
４  屈曲部
５  屈曲部
６  屈曲部
７  屈曲部
８  屈曲部
９  針金の両端
１０  ページを留める部分
【図１】
0003160372.tif 000003
【図２】
0003160372.tif 000004
【手続補正書】
【提出日】平成22年3月17日(2010.3.17)
【手続補正１】
【補正対象書類名】図面
【補正対象項目名】図２
【補正方法】変更
【補正の内容】
【図２】
0003160372.tif 000005
【手続補正書】
【提出日】平成22年4月12日(2010.4.12)
【手続補正１】
【補正対象書類名】実用新案登録請求の範囲
【補正対象項目名】請求項１
【補正方法】変更
【補正の内容】
【請求項１】
一本の錆びにくいステンレスや鉄にメッキをした素材の針金によって、長方形状に形成された本のページを開いたまま留める道具であって、この長方形状の左右両端がコイル状に巻かれており、屈曲部３，４，５，６，７，８と本のページに差し込むためのページを止める部分１０が形成されていることを特徴とする本のページを開いたまま留める道具。
(57)【要約】      （修正有）【課題】パッティング時打球を打出すための指向性向上を狙うことができるゴルフパターを提供する。【解決手段】打球を打出すヘッド面５を基準にシャフト１の断面を正方形にすることによりヘッド面５と同方向の指向性を持たせ、プレーヤーの視線をグリーン面からグリップまでの間でバランスよく方向決めをできるようにする、さらにヘッドの打球打出し面と平行なシャフト面２とプレーヤーが構えたとき目視する直角を成す面３との２面を表面輝度又は色彩を施すことにより区別でき、プレーヤーの方向想定を容易にさせている。【選択図】図１
0003160371.tif 000002
【実用新案登録請求の範囲】
【請求項１】
断面形状を四角形としたシャフトとし、一つの面をヘッド打球面に平行にして成るゴルフフパター。
【請求項２】
ヘッドの打球打出し面と平行なシャフト面とプレーヤーが構えたとき目視する直角を成す面の２面は、表面輝度又は色彩を施し区別できるような仕上げ面を持つ請求項1記載のゴルフパター。
【考案の詳細な説明】
【技術分野】
【０００１】
本考案は、ゴルフパターの改良に関するものである。
【背景技術】
【０００２】
一般的にゴルフパターはパッティング技術向上を目的に工夫されるが、パターの構造の一部としてのシャフトの断面外形が円形以外の物が知られていないのが現状である。
【先行技術文献】
【特許文献】
【０００３】
【特許文献１】特開２００１−１７５８３２号公報
【考案の概要】
【考案が解決しようとする課題】
【０００４】
従来のゴルフパターのシャフトが、その断面形状が略円形であるため、打球の打ち出し方向を捉えやすくする指向性を有するものではなく、そこで本考案に於いては、指向性を有するゴルフパターを提供することが課題となる。
【課題を解決するための手段】
【０００５】
本考案は、以上の課題を解決するため、打球を打出すヘッド面を基準にシャフト断面を四角形にすることによりヘッド面と同方向の指向性を持たせ、プレーヤーの視線をグリーン面からグリップまでの間でバランスよく方向決めをできるようにするものである。
【０００６】
ヘッドの打球打出し面と平行なシャフト面とプレーヤーが構えたとき目視する直角を成す面との２面を表面輝度又は色彩により区別でき、プレーヤーの方向想定の確実性をあげることも可能となる。
【０００７】
本考案は、打球を打出すヘッドの打球面を基準にシャフトに指向性を持たせるためにその断面形状を四角形とすることを特徴とする。
【考案の効果】
【０００８】
本考案のゴルフパターは、プレーヤーの視線をグリーン面からグリップまでの上下間の目視によりバランスよく打球方向決めを想定させるようにする効果がある。
【図面の簡単な説明】
【０００９】
【図１】パター全体斜視図
【図２】シャフト断面図
【考案を実施するための形態】
【００１０】
図１は本考案のゴルフパターの全体斜視図である。従来のゴルフパターの欠点である無指向性を改良し、技量の向上を図る目的に指向性を有するように、シャフトの断面形状を四角形としたシャフト１をヘッド４ネック６とグリップ７と組合せ、且つパター打出し面５とシャフト打出し面２を平行に組みつけ、シャフト打出し面２と直角を成すシャフト上部面３を構成する実施形態である。
【００１１】
シャフト打出し面２と直角を成すシャフト上部面３は、プレーヤーがボールの打出し方向を想定しやすいように、表面輝度又は色彩を施している。
【符号の説明】
【００１２】
１    シャフト
２    シャフト打出し面
３    シャフト上部面
４    パターヘッド
５    パター打出し面
６    ネック
７    グリップ
【図１】
0003160371.tif 000003
【図２】
0003160371.tif 000004
【手続補正書】
【提出日】平成22年4月8日(2010.4.8)
【手続補正１】
【補正対象書類名】実用新案登録請求の範囲
【補正対象項目名】請求項１
【補正方法】変更
【補正の内容】
【請求項１】
断面形状を四角形としたシャフトとし、一つの面をヘッド打球面に平行にして成るゴルフパター。
(57)【要約】      （修正有）【課題】杖を必要とする人々に介添なく安全に移動することが出来、簡便でわかりやすく、簡単に杖を固定することが出来る杖たてを提供する。【解決手段】簡便な杖たてを待合室、診察室、トイレ、病室など歩行を停止する場所に設けておけば、簡単に取りつけられるので手の自由が確保される。【選択図】図１
0003160349.tif 000002
【実用新案登録請求の範囲】
【請求項１】
杖を固定する為の伸縮力もしくは反発力を有したゴム、もしくは合成樹脂、又は弾性発泡体で構成された凹部イを有し簡単に杖を固定することを特徴とする杖たて。
【考案の詳細な説明】
【技術分野】
【０００１】  本考案は杖たてに関する。
【背景技術】
【０００２】  従来の杖入れは傘入れと同様に上から差し入れる構造のために大きく場所をとる為に限られた場所に設置せざるを得ず、絶えず杖を必要とする人々にとっては不便で使用しない場合が多かった。
【考案の開示】
【考案が解決しようとする課題】
【０００３】  そこで杖を利用する人が杖を置きたい、固定したい場所に簡単な杖たてがあれば手の自由が確保される。固定してほしい場所とは、例えば病院の場合、診察室、待合室、トイレ、病室等で常に杖を使用せざるを得ない使用者は、その場まで杖を使って介添なしに安全に移動できる。
【課題を解決するための手段】
【０００４】  そのためには杖たては出来るだけ簡便でなければならない。その為に本考案の杖たては力を入れずに押し込むだけで柔軟かつ反発力を有した杖受部に簡単に固定することが出来る。
【考案の効果】
【０００５】  本考案の杖たての設置によって、杖を必要とする人々にとって介添なく安全に移動することが出来る。又、簡便でわかりやすいので簡単に杖を固定することが出来る。
【考案を実施するための最良の形態】
【０００６】  本考案に係る杖たては図１に示すように凹部（イ）を設けており、この凹部入口部（ロ）は杖を入れやすくする為にカーブがつけてある。凹部（イ）は柔軟な
0003160349.tif 000003
違う杖も無理なく固定することが出来る。図２はその取付状況を示したものである。
【図面の簡単な説明】
【０００７】
【図１】  本考案の上面図、平面図である。
【図２】  本考案の杖たてに杖をとりつけた状態を示したものである。
【符号の説明】
【０００８】  イ    杖受入部
ロ    杖受入部の入口
【図１】
0003160349.tif 000004
【図２】
0003160349.tif 000005
(57)【要約】      （修正有）【課題】動物の習性と特徴を利用し、かつ、小型化されたアライグマ手錠式捕獲罠を提供する。【解決手段】餌を付ける餌フック９の前面に、円盤状の中心に前足を入れる穴のあるフレーム板１を有し、その外輪上にはラチエット歯を施した手錠アーム４がアーム取り付けビス１７を支点として設けられる。手錠アーム４がバネ５を引っ掛けた状態で、手錠アーム４が手錠アーム止めピン８によって円弧状に牽引力を蓄えた状態で仕掛けをする。外側は円筒状のボディーケース３に覆われる。【選択図】図１
0003160342.tif 000002
【実用新案登録請求の範囲】
【請求項１】
餌を付ける餌フック▲９▼の前面には円盤状の中心に前足を入れる穴のあるフレーム板▲１▼と、その外輪上にはラチエット歯を施した手錠アーム▲４▼がアーム取り付けビス▲１７▼を支点として手錠アーム▲４▼がバネ▲５▼を引っ張った状態で、手錠アーム▲４▼が手錠アーム止めピン▲８▼によって円弧状に牽引力を蓄えた状態で仕掛けをする、円筒状のボデーケース▲３▼に覆われた手錠式の罠捕獲機。
【考案の詳細な説明】
【技術分野】
【０００１】本考案は、特定外来生物アライグマ捕獲用に考案された装置で、円筒状手錠式罠の装置に関するものである。
【技術背景】
【０００２】特定外来動物アライグマの捕獲には、檻、箱罠が使用されている。これらは体積が大きく運搬と仕掛け作業に時間と労力を要する。箱罠には捕獲目的外の動物やペットも入る為、効率が悪い。又、金属ワイヤー足枷罠は前足に大きく傷が付く。
【考案の概要】
【考案が解決しようとする課題】
【０００３】本考案は罠装置の小型化によるコスト削減と特定外来生物アライグマの動物習性と特徴を利用した捕獲装置である。
【課題を解決するための手段】
【０００４】特定外来生物の中でアライグマの前足の特徴を利用した。外観は好んで遊ぶ球形した円筒状で、前足のサイズに応じた入り口で他動物が餌を掴んだり咥えたり出来ない形状とサイズにしている。
【考案の効果】
【０００５】他の動物では、餌を掴むには前足や口を入れる事が出来ず餌まで届かないので間違って捕獲する事が無い。運搬には箱罠１台分で約１００個の運搬が出来る。捕獲動物に傷が付かない。
【図面の簡単な説明】
【０００６】
【図１】本体フレームからボデーケースまでの部品組み立て斜面図である。
【図２】本体フレームからフレーム板を外した正面図である。
【符号の説明】
【０００７】▲１▼  本体フレーム板                ▲１０▼  ラチエット解除ピン
▲２▼  フレーム板                    ▲１１▼  ケース蓋
▲３▼  ボデーケース                  ▲１２▼  前足入り口
▲４▼  手錠アーム                    ▲１３▼  ケース蓋止めネジ
▲５▼  バネ                          ▲１４▼  蓋止め溝
▲６▼  ラチエット止めフック          ▲１５▼  取手
▲８▼  手錠アーム止めピン            ▲１６▼  罠固定ワイヤー
▲９▼  餌フック                      ▲１７▼  アーム取り付けビス
【考案を実施するための形態】
【０００８】樹脂製のボデーに餌取り用の穴があり、その本体内部にはラチエット式の手錠アーム▲４▼を予めバネを引き開いた状態で、そのバネを引っ張って固定するフレーム板がある、その奥にバネで引っ張られた手錠アーム▲４▼を開放する餌の取り付けた餌フック▲９▼が配備された、バネによって締め付ける手錠式捕獲罠器。
【実施例】
【０００９】手錠アーム▲４▼をバネ▲５▼を引っ張りながら廻し広げ、手錠アーム止めピン▲８▼の先端でアームを引っ掛ける。餌取り付けフック▲９▼に餌をつける。
本体フレーム板▲１▼を、ボデーケース▲３▼のラチエット解除ピン▲１０▼の穴とラチエット止めフック▲６▼に位置を合わせながら本体フレーム板▲１▼をボデーケース▲３▼の中に挿し込み、ケース蓋▲１１▼の蓋止め溝▲１４▼とボデーケース▲３▼にある、ケース蓋止めネジ▲１３▼にはめ込み回転させて固定する。【００１０】ケース蓋▲１１▼に付いている罠固定ワイヤー▲１６▼を支柱や樹木に固定して日没前に仕掛ける。アライグマが手を前足入り口▲１２▼から手を入れて餌を取ると、餌フック▲９▼が入り口穴の→Ａ方向に引っ張られ、手錠アーム止めピン▲８▼が←Ｂの方向にテコにより曳かれ、手錠アーム止めピン▲８▼の先端と手錠アーム▲４▼の止め穴から外れ、手錠アーム▲４▼は、←Ｃの方の方向へバネ力によって瞬時に回転し、アライグマの手首を閉め付けながらラチエット止めフック▲６▼とバネ▲７▼の力で手錠アーム▲４▼を固定し捕獲する。【００１１】ラチエット解除ピン▲１０▼を穴に押し込むと、手錠アーム▲４▼からラチエット止めフックが外れ、手錠アーム▲４▼はバネの力だけになり、アライグマの手首を引き抜いて開放する。
【図１】
0003160342.tif 000003
【図２】
0003160342.tif 000004
(57)【要約】      （修正有）【課題】降雪時に自動のフロント及びリアガラスにワイパー作動による圧雪をスムーズに除去し、前方及び後方の視界を保ち、又圧雪によるワイパの負荷を少なくすることができる自動車用ガラスの構造を提供する。【解決手段】ガラス本体Ａの一部分に厚みをつけモールＣ及びボディＤとガラス本体との段差をなくしワイパー作動によりスムーズに雪を取り除くことができるように構成する。【選択図】図１
0003160367.tif 000002
【実用新案登録請求の範囲】
【請求項１】
ガラスの一辺又は複数辺の一部に、フレームとガラス面の段差をなくするための厚みを設けることを特徴とする自動車用フロント及びリアガラス。
【考案の詳細な説明】
【技術分野】
【０００１】本考案は自動車用ガラスに関するものである。
【背景技術】
【０００２】冬季において雪のふる場合自動車のフロント及びリアガラスに雪がつもり走行時においてはワイパーを作動させて雪を取り除いているわけであるがフレームとガラス間に段差があるためにワイパー作動のために雪が一辺又は複数辺に圧雪となり前方及び後方の視界が悪くなり又ワイパーに負荷がかかりワイパーが故障する場合もあった。
【考案の概要】
【考案が解決しようとする課題】
【０００３】現在の自動車ガラスはフロント及びリア共にガラスとフレーム間に段差があるため降雪時にワイパー作動によって一辺又は複数辺に圧雪となって時間と共に視界が悪くなり又ワイパーにも負荷がかかる様になるために走行中においては非常に危険なものであった。
【課題を解決するための手段】
【０００４】本考案は自動車ガラスの一辺又は複数辺の一部分にボディとガラス間の段差をなくするための厚みを設けワイパー作動で雪をスムーズに取り除ける自動車ガラスを提案するものである。
【考案の効果】
【０００５】上記の様に本考案の自動車ガラスは冬季の降雪時においてボディとガラス間の段差がないためにワイパー作動によってガラス面の雪を取り除きやすくなり圧雪によるワイパーの負荷もかかりにくくなるものである。
【図面の簡単な説明】
【０００６】
【図１】本考案の自動車ガラスの実施例を示す断面図である。
【図２】本考案の自動車ガラスの実施例を示す正面図である。
【考案を実施するための形態】
【０００７】現在の自動車のボディに対して現在のガラスと同じ様に組立てできるものである。
【符号の説明】
【０００８】  Ａ    ガラス本体
Ｂ    自動車ボディ
Ｃ    モール
Ｄ    厚み
Ｅ    車内
Ｆ    車外
【図１】
0003160367.tif 000003
【図２】
0003160367.tif 000004
(57)【要約】      （修正有）【課題】新たに支柱等を立てる必要は無く既存の防雪柵を利用して、特に夜間の視認性のある光る標識を提供する。【解決手段】防雪板に規則的に開いている穴を利用して必要箇所に発光ダイオードを差し込むことで光る文字や矢印等のサインを形成することができる。防雪板に開けてある通風孔に差し込んで固定できる直径と長さを持つ透明プラスチック製のケースで、中にＬＥＤをセットしてあり、一定長さ差し込んで止まるように通風孔より大きな径の鍔部を形成しておく。【選択図】図１
0003160396.tif 000002
【実用新案登録請求の範囲】
【請求項１】
防雪柵に取り付けてある幅２〜４ｍ、高さ１５〜３５ｃｍの、横から見ると山形になった有孔防雪板に、風を通すための直径１．５〜２ｃｍの通風孔が、開口率３０〜４０％になるように規則正しく開けてあるが、その孔の一部にＬＥＤを差し込んでＬＥＤが文字やサインを形成できるように防雪板の孔に差し込んで固定でき、一定深さ以上入り込まないように通風孔の径より数ｍｍ大きな径の鍔部を持っていることを特徴とする透明プラスチック製の直径１．５〜２ｃｍ、長さ２〜３ｃｍの防雪板用ＬＥＤケース。
【請求項２】
防雪板の通風孔に差し込んだ時、防雪板の表面の垂直方向から異なった方向にＬＥＤを向けることができるように鍔部は防雪板の表面に対し３０〜６０度の角度がつけてあることを特徴とする請求項１記載の防雪板用ＬＥＤケース。
【請求項３】
鍔部は防雪板の表面に対し３０〜６０度の角度がつけてあるにもかかわらず、防雪板の通風孔に差し込まれる部分が防雪板の面に対して垂直に差し込めるようになっていることを特徴とする請求項２記載の防雪板用ＬＥＤケース。
【考案の詳細な説明】
【技術分野】
【０００１】  防雪柵を利用したディスプレイに関する。
【背景技術】
【０００２】  降雪地帯に於いて積雪時期に使用する防雪柵は、道路面に雪を積もらせないようにする様々な工夫がなされてきた。【０００３】  現在使用されている防雪柵には防雪板が取り付けてあるが、風がある程度通り抜けるように板に孔が無数に開けてあり、開孔率は３０〜４０％に達する。【０００４】  一方防雪柵の設置してある場所に何らかの標識を立てようとすると防雪柵の前に支柱を立てそれに標識を付けていた。【０００５】  また防雪柵を設置するのは冬季間に限り、特に夜間の降雪時には、なんらかの光る視線誘導をするものが望まれている。
【考案の開示】
【考案が解決しようとする課題】
【０００６】  防雪柵を利用して何らかの表示をする方法が求められている。
【課題を解決するための手段】
【０００７】  本考案は上記問題に鑑みてなされたものであり、防雪板に規則的に開いている穴を利用して必要箇所に発光ダイオードを差し込むことで光る文字や矢印等のサインを形成することができる。
【考案の効果】
【０００８】  新たに支柱等を立てる必要は無く既存の防雪柵を利用して、特に夜間の視認性のある光る標識を作ることができる。
【考案を実施するための最良の形態】
【０００９】  防雪板に開けてある通風孔に差し込んで固定できる直径と長さを持つ透明プラスチック製のケースで、中にＬＥＤをセットしてあり、一定長さ差し込んで止まるように通風孔より大きな径の鍔部を形成しておく。
【実施例】
【００１０】  通常防雪柵は道路に平行して設置されており、かつ取り付けてある防雪板は図１に示すような山形をしているので各部分の防雪板の面は道路に対して垂直に向いていない。従って開けてある通風孔２の向きも道路に対して垂直にはなっていない。【００１１】  しかるに自動車の運転者への視認性を考えるならば、ＬＥＤの光の方向は運転者の方を向いていることが望ましい。そこで図２に示す例のように防雪板用ＬＥＤケース１は防雪板に開けた孔２に差し込む折、差込部３は防雪板の面に対し垂直に差し込めるが、鍔部４があるためにそれ以上深く入ることは無いようにしてあり、かつＬＥＤを内挿させるべき天頂部５は孔の向きに対したとえば４５°の角度を持たせておく。この角度は防雪板の山形の角度やＬＥＤをどちらへ向かせるかによっても変えることができる。【００１２】  上の例のようにくの字に曲がった形をした防雪板ＬＥＤケースを使えば道路脇にある防雪板に、運転者の方向に光るＬＥＤによる表示を行うことができる。
【産業上の利用可能性】
【００１３】  新たに標識柱を立てなくても既存の防雪柵を利用してＬＥＤによる視認性の良い表示を行うことができる。
【図面の簡単な説明】
【００１４】
【図１】防雪板を横から見た断面図。
【図２】防雪板用ＬＥＤケースの断面図。
【符号の説明】
【００１５】  １  防雪板用ＬＥＤケース
２  通風孔
３  差込部
４  鍔部
５  天頂部
【図１】
0003160396.tif 000003
【図２】
0003160396.tif 000004
(57)【要約】【課題】従来使用されている木製の木札ストラップは、焼印やレーザー彫刻などで文字や柄などを彫刻することが主体で写真や布などをはめ込む機能が無く、樹脂製の写真入れストラップは、木札ストラップのように焼印やレーザー彫刻で加工するには適していないので文字や柄を木札の様に加工することが出来ないが、上記両方の機能を１個のパーツで満たすことができるパーツが望まれる。【解決手段】木製の木札部材に写真や絵及び布と透明板状プレートをはめ込む凹部を作ることにより、写真や絵及び布などを凹部にはめ込み装着することができ、尚且つ、反対面は通常の木札プレートと同じ様に焼印やレーザー彫刻機で文字や柄などの加工ができるものとし、１個のパーツで両方の機能を満たす木製ストラップを提供できるようにした。【選択図】図３
0003160394.tif 000002
【実用新案登録請求の範囲】
【請求項１】
本体木製木札部材の一方の表面に、写真、絵、布、及び板状の透明プレートを装着する為の凹部を設けたことを特徴とする木製ストラップである。
【請求項２】
本体木製木札部材の一方面には、写真または及び絵または及び布などを装着した表面凹部と、もう一方面には焼印または及びレーザー彫刻機で文字または及び柄を加工した裏面から構成することを特徴とする木製ストラップである。
【考案の詳細な説明】
【技術分野】
【０００１】  本考案は、例えば、写真やマスコットの絵及び文字などを紙に印刷したものや、ちりめん生地などの布を木製木札本体に透明プレートで挟み込む、もしくは接着して使用するストラップに関するものである。
【背景技術】
【０００２】  従来、木札ストラップは、焼印やレーザー彫刻機にて文字や柄などを焼き付けたり彫刻して使用するものである。【０００３】  従来、写真入れタイプのストラップは、透明樹脂で作ったパーツに写真などをはめて使用するものである。
【先行技術文献】
【特許文献】
【０００４】
【特許文献１】  特開２００４−２４３０７４号  公報
【非特許文献】
【０００５】
【非特許文献１】  「株式会社ダイキ  ハメパチシリーズカタログ」株式会社ダイキ、２０１０年１月  ｐ１、ｐ３、ｐ４
【考案の概要】
【考案が解決しようとする課題】
【０００６】考案が解決しょうとする課題は、従来の木札ストラップは文字や柄などをレーザー彫刻機などで加工できるが、写真や絵もしくは布などを挟むなどして装着することは出来ないし、透明の樹脂製の写真入れストラップは、樹脂で出来ているので木札と同じようにはレーザー彫刻機などで文字や柄などを彫刻することは出来ない。【０００７】すなわち、本考案は、写真や絵もしくは布などを挟み込むことが出来る木製の札パーツなので、従来の木札と同じようにレーザー彫刻機などで彫刻ができ、且つ、反対面には写真や絵などが装着出来るものであり、従来の木札ストラップと樹脂製写真入れストラップの要素をひとつにしたことを特徴とするものである。
【課題を解決するための手段】
【０００８】課題を解決するための手段として、本考案は、木札本体の一方面に写真や絵もしくは布などを入れる凹状のはめ込みスペースを作り、そのはめ込みスペースに写真や絵もしくは布などを装着して透明アクリルや透明ビニールなどの透明の板状のパーツではめ込んだり接着して木札タイプの木製写真入れストラップを提供できるようにした。【０００９】木札本体の一方面は通常の木札と同じ形状をしているので従来通りに焼印を押したりレーザー彫刻機で文字や柄などを彫刻することができ、１個のパーツで写真や絵もしくは布などを装着できレーザー彫刻機などで文字や柄の彫刻も出来ることを特徴とするものである。
【考案の効果】
【００１０】本考案の最大の効果は、従来の木札ストラップでは表現出来なかった写真や絵及び布などを木札本体に透明プレートで挟んで装着することにある。その効果を要約すると次にようになる。
（１）従来の木札ストラップと樹脂製写真入れストラップを、木製のひとつのパーツでそ      れぞれの機能を合わせ持っている。
（２）写真入れストラップとしては、従来の樹脂製写真入れストラップと比べると木製な      ので柔らかな風合いを感じることができる。
（３）木の材質を変えることにより、例えば、カリン・ケヤキ・桜・ヒノキなど様々な木      の素材を楽しむことができる。
【図面の簡単な説明】
【００１１】
【図１】「本考案の木札ストラップの構成部分を示した説明図である。」
【図２】「本考案の本体木製木札部材の外観を示した図である。」
【図３】「本考案の作品例のひとつを示した写真である。」
【考案を実施するための形態】
【００１２】以下、本考案の実施の形態を図に基づいて説明する。
【実施例１】
【００１３】図１の本体木製木札部材２に、写真や絵及び布など７をアクリルプレートやビニールシートなどの透明状板プレート６ではめ込みや接着などで挟み込み、根付紐３、鈴４、リング５、などのストラップ部材を装着して携帯電話などにつけるストラップとして使用する。
【実施例２】
【００１４】  図２の本体木製木札部材２に透明状板プレート６と写真や絵及び布など７をはめ込む凹部２ｂにはめ込みや接着などで装着して紐やストラップなどの部材を紐通し穴２ａに通して使用する。
【実施例３】
【００１５】  図３のように一方面には、写真や絵及び布などを装着でき、もう一方の面には焼印やレーザー彫刻機などで文字や柄などを加工することができる。
【産業上の利用可能性】
【００１６】本発明の目的として、携帯ストラップ及び根付などに用いることができる。
【符号の説明】
【００１７】１  木札ストラップ
２  本体木製木札部材
２ａ  リングもしくは紐の通し穴
２ｂ  透明状板プレート及び写真や絵及び布などをはめ込む凹部
３  根付紐
４  鈴
５  リング
６  透明状板プレート
７  写真や絵及び布など
【図１】
0003160394.tif 000003
【図２】
0003160394.tif 000004
【図３】
0003160394.tif 000005
(57)【要約】      （修正有）【課題】指サックの上端に面ファスナー又はストラップもしくはその両方を取り付けることにより、ワンタッチ着脱と紛失防止をすることが出来る指サックを提供する。【解決手段】指サック５の上端に、面ファスナーの雄６を取り付け、面ファスナー雌を机やレジスターに貼っておくことによって、紛失を防ぐとともに簡単に着脱できる。又、ストラップやキーホルダーを取り付け、鞄などに取り付けておくることにより、営業マンのように外回りの多い人には紛失防止にもなる。【選択図】図３
0003160145.tif 000002
【実用新案登録請求の範囲】
【請求項１】
指サックにマジックテープを取り付けて、ワンタッチで着脱できるようにしたもの。
【請求項２】
指サックにストラップやキーホルダーを取り付けるためのベロを出したもので、鞄などに取り付けられるようにしたもの。
【請求項３】
指サックにマジックテープを貼り付け、さらにストラップやキーホルダーを取り付けるためのベロを出したもの。
【考案の詳細な説明】
【技術分野】
【０００１】  本考案は、指サックの外側（指の爪側）に、マジックテープ又はストラップやキーホルダーを取り付けるためのベロを出したもので、簡単に着脱したり、何処にでも簡単に持ち運べてしかも紛失を防止できるようにしたもの。
【背景技術】
【０００２】  スーパーやレストランなどのお店のレジで、ナイロン袋を扱ったりお金（紙幣）を数えるときや会社で書類を扱うときに、指サックが良く使用されているが、良く見ていると、ポケットからごそごそ探して取り付けたり、机の中を引っ掻き回して探し出して取り付けたりしているのを良く見かける。しかも使い終わって仕舞っておいたはずが、いざと言う時に何処にいったかわからなくなっている（紛失している）ことが良くある。特に外回りの営業マンなどはなおのことで鞄などに取り付けられるようになっておればすぐに取り出せて使用することが出来る。
【考案の概要】
【考案が解決しようとする課題】
【０００３】  現在使用されている指サックは、小さなものであり、取り付けるときに片方の手でもう一方の指に取り付けている、しかも使用した後仕舞うときにポケットか机の引き出しの中に入れておくのが大半である、たまに鞄等に入れて持ち歩くケースもあるが、取り付けるのに結構時間を要するのと、意外と紛失することが多い。
本考案はそれらを一挙に解決するものである。
【課題を解決するための手段】
【０００４】  本考案は、指サックの外側（指の爪側）にマジックテープ又はストラップやキーホルダーを取り付ける穴あきのベロを持ったもので、もう一方のマジックテープを机やレジスターの上に貼り付けておき、そこに指サックを取り付けておくことにより、使用するときにその指サックに利き指を突っ込むだけで簡単に取り付けることが出来る、しかもポケットや机の中を探す必要が無い。又、使用を終わった後そこにポンと引っ付けるだけで簡単に抜けるので、わざわざもう一方の手で抜く必要はない、つまり取り付けも脱却もワンタッチで出来るしそれをポケットや机に入れる必要はない。転がったり風で飛んだりすることも無いので、次に使用するまでそのままにしておける。つまり紛失も無いと言える。
又、ストラップやキーホルダーをつけておくことにより、ストラップのもう一方を鞄のもち手や着ている服のどこかにつけておき、ワンタッチアジャスターで付けておけば紛失することもないし、何処に移動してもすぐに使用することが出来る。
【考案の効果】
【０００５】  本考案により、ポケットの中や机の中をごそごそ探す必要はないし、着脱も実に簡単であるため、時間が殆ど要らなくなったのと、紛失が殆どなくなった。
お客様相手のレジなどでは特にお客様を待たすことはないので、サービスの向上にもなったし、紛失がなくなったので、経済的でもある。
【図面の簡単な説明】
【０００６】
【図１】指サックに本考案のマジックテープを取り付けた斜視図。
【図２】指サックの外側（爪側）にストラップ取り付けベロをつけた斜視図。
【図３】長タイプの指サックにマジックテープをつけた斜視図。
【図４】図２の指サックにストラップとキーホルダーをつけた斜視図。
【図５】机に取り付けたマジックテープに貼り付けた指サックの斜視図。
【考案を実施するための形態】
【００７】  指の第一関節のみにつける指サックの場合は、外側（指の爪側）の上端に、５ｍｍ〜１０ｍｍ四方ぐらいのマジックテープの雄側を両面テープなどで貼り付ける。もう一方の雌側にも両面テープを貼り付けておき、使用しないときは指サックと一体にしておく。使用するときにマジックテープの雌側を机やレジスターにその両面テープで貼り付けておく。指サックのほうにつけるマジックテープを雄にしておくと、服などの繊維質のものにも簡単にくっつくのでわざわざ雌側のマジックテープに引っ付ける必要はないのでより便利である。
指の第２関節まで入る長いタイプの指サックの場合は、表裏は決まってないので、外側上端の何処でもいいので同様にマジックテープを取り付けておく。
ストラップやキーホルダーをつけるものは、サック側の裏面上端に穴を空ける、もしくはベロを出してそれに穴を開けるなどしてそこにワンタッチアジャスターやキーホルダーを取り付けられるようにしておく。もう一方のアジャスターのストラップにはクリップ又はマジックテープ、キーホルダーなどで鞄等に取り付けるようにする。このアジャスターはマジックテープでも良い。
【実施例】
【０００８】  以下、添付図面に従って実施例を説明する。図１は、指サックの裏面上端にマジックテープの雄側を両面テープもしくは接着剤で取り付けたもの。図２は、指サックの外側爪側にストラップ取り付けようの穴あきベロをつけたもの。図４は指サックにストラップを取り付けてキーホルダーに繋いだもの。図５は雌側の裏面に両面テープを貼ったもので、机やレジスターに貼り付けたもの。図３は、第二関節まで入る長いタイプの指サックにマジックテープの雄を図１同様に取り付けたもの。
【符号の説明】
【０００９】  １、    指サック
２、    マジックテープ雄
３、    指サック
４、    ストラップ取り付けようベロ及び穴
５、    指サック
６、    マジックテープ雄
７、    ストラップ取り付けベロ
８、    机に貼り付けたマジックテープ雄。
９、    机。
【図１】
0003160145.tif 000003
【図２】
0003160145.tif 000004
【図３】
0003160145.tif 000005
【図４】
0003160145.tif 000006
【図５】
0003160145.tif 000007
【手続補正書】
【提出日】平成22年3月11日(2010.3.11)
【手続補正１】
【補正対象書類名】実用新案登録請求の範囲
【補正対象項目名】全文
【補正方法】変更
【補正の内容】
【実用新案登録請求の範囲】
【請求項１】
本体の一部に、マジックテープ（登録商標）を取り付けて、ワンタッチで着脱できるようにした指サック。
【請求項２】
本体上部の一部に、ストラップやキーホルダーを取り付けるためのベロを出した形態で、鞄等に取り付けられるようにした指サック。
【請求項３】
本体の一部にマジックテープ（登録商標）を取り付け、さらにストラップやキーホルダーを取り付けるためのベロを出した指サック。
(57)【要約】      （修正有）【課題】簡単に仕掛けることができ、効率よく便利に猪を捕獲できる、猪捕獲補助器具を提供する。【解決手段】体台座７の内側壁面に跳ね上げストッパー５を装着した踏み板３を構成する中軸２を設け、本体台座７に設けた中軸２の両端部に装着した跳ね上げスプリング６と接合したＵ字アーム１を本体台座７の外側壁面に装着する。【選択図】図３
0003160150.tif 000002
【実用新案登録請求の範囲】
【請求項１】
本体台座（７）の壁面に中軸（２）を設け、その中軸に跳ね上げストッパー（５）を設けた踏み板（３）をヤジロに設けた。その上部に、羽根部（４）と跳ね上げスプリング（６）を装着し猪捕獲ワイヤー（８）を跳ね上げるＵ字アーム（１）を設けた猪捕獲補助器具。
【考案の詳細な説明】
【産業上の利用分野】
【０００１】この考案は本体台座の壁面に中軸を設け、跳ね上げストッパーを設けた踏み板をヤジロに設けた。その上部に、羽根部と跳ね上げスプリングを装着し猪捕獲ワイヤーを跳ね上げるＵ字アームを使用する猪捕獲補助器具。
【背景技術】
【０００２】従来、猪を捕獲するために、地面にそのままセットした本体に、取り付けたＵ字アームに猪捕獲ワイヤーをセットして猪を捕獲するものがあった。
【考案が解決しようとする課題】
【０００３】これは次ような欠点があった。
（イ）  地面にそのままワイヤーのセットされた猪捕獲補助器具の、Ｕ字アームの跳ね上げが弱かった。
（ロ）  猪が罠本体に乗っても地面にそのまま置いてあるので、敏感に反応がしにくかった。
【課題を解決するための手段】
【０００４】この考案を解決するために、次のような構成をしている。
本体台座（７）の壁面に中軸（２）を設け、跳ね上げストッパー（５）を設けた踏み板（３）をヤジロに設けた。その上部に、羽根部（４）と跳ね上げスプリング（６）を装着し猪捕獲ワイヤー（８）を跳ね上げるＵ字アーム（１）を設けた猪捕獲補助器具。
本考案は以上のような構成よりなる猪捕獲補助器具である。
【作用】
【０００５】猪が捕獲補助器具に足（９）を乗せたとき、すばやく本体台座（７）の壁面に設けた中軸（２）にヤジロに装着した踏み板が（３）が反応し、羽根部（４）が地面を蹴り、同時に跳ね上げスプリング（６）が跳ね上げＵ字アーム（１）を押し上げ、セットした猪捕獲ワイヤー（８）を強く跳ね上げ猪の足（９）に引っ掛け捕獲する。これにより猪を捕獲する確立が大幅に高くなる。
【実施例】
【０００６】以下、本案の実施例について説明する。
（イ）地面を凹部にし、凹部の上端部に猪捕獲補助器具に羽根部（４）をセットし本体台座（７）の壁面に中軸（２）を設け、跳ね上げストッパー（５）を設けた踏み板（３）をヤジロに設けた。その上部に羽根部（４）と跳ね上げスプリング（６）を装着し猪捕獲ワイヤー（８）を跳ね上げるＵ字アーム（１）を設ける。このＵ字アーム（１）に猪捕獲ワイヤー（８）をセットして猪を待ち受ける。やってきた猪が捕獲補助器具に足（９）を乗せると、ヤジロになっている踏み板（３）が動いて跳ね上げストッパー（５）からはずれたＵ字アーム（１）が跳ね上げスプリング（６）によって押し上げられ猪捕獲ワイヤー（８）を素早く跳ねあげ、猪の足（９）に引っ掛け捕獲することが容易になる。
本案は以上のような構造で、これを使用するときは、猪の通り道の地面に猪捕獲ワイヤーをセットした猪捕獲器具を罠として仕掛ける。
【考案の効果】
【０００７】猪を捕獲するには、ひとつの方法として、猪の通り道に猪捕獲器具を仕掛けます。
猪捕獲ワイヤーを効率よく猪の足に引っ掛けるために、本考案はきわめて効率がよく便利である。
【図面の簡単な説明】
【図１】本考案の平面図である。
【図２】本考案の側面図である。
【図３】本考案の斜視図である。
【図４】本考案の他の実施例を示す斜視図である。
【符号の説明】  （１）  ワイヤー跳ね上げＵ字アーム
（２）  中軸
（３）  踏み板
（４）  羽根部
（５）  Ｕ字アーム跳ね上げストッパー
（６）  Ｕ字アーム跳ね上げスプリング
（７）  本体台座
（８）  猪捕獲ワイヤー
（９）  猪の足部
【図１】
0003160150.tif 000003
【図２】
0003160150.tif 000004
【図３】
0003160150.tif 000005
【図４】
0003160150.tif 000006
【手続補正書】
【提出日】平成22年3月16日(2010.3.16)
【手続補正１】
【補正対象書類名】実用新案登録請求の範囲
【補正対象項目名】全文
【補正方法】変更
【補正の内容】
【実用新案登録請求の範囲】
【請求項１】
本体台座（７）の内側壁面に跳ね上げストッパー（５）を装着した踏み板（３）を構成する中軸（２）を設け、本体台座（７）に設けた中軸（２）の両端部に装着した跳ね上げスプリング（６）と接合したＵ字アーム（１）を本体台座（７）の外側壁面に装着した猪捕獲補助器具。
(57)【要約】      （修正有）【課題】蛇行せずに長尺に印字画ができ、そのうえ左右の印刷むらが生じにくい手動式ローラースタンプを提供する。【解決手段】回転式印字・印画用ローラースタンプの保護と手動用取っ手を兼ねた立方体の形状を有する本体に、進行方向６ａ，６ｂに対してその前後部に車軸４ａ及び軸受けが同一方向の各２輪の補助輪１ａ，１ｂ、及び本体中央部に車軸と軸受けを備えたローラースタンプ３の１ヶを有し、その補助輪１ａ，１ｂ及びローラースタンプ３の接地面５が同一の平面上に位置する事を特徴として手動ローラースタンプを構成する。【選択図】図１
0003160144.tif 000002
【実用新案登録請求の範囲】
【請求項１】
前後に各２輪の補助輪を付けた手動式ローラースタンプ。
【考案の詳細な説明】
【技術分野】
【０００１】  補助輪付き手動ローラースタンプに関するものである。
【背景技術】
【０００２】  従来の手動ローラースタンプは一輪で印字・印画を行ってきた。
【先行技術文献】
【特許文献】
【０００３】
【非特許文献】
【０００４】
【考案の概要】
【考案が解決しようとする課題】
【０００５】  従来の技術では手動の加圧で一輪のローラーを進行させる為、一定の速度で長尺の直線を印字画する場合、加圧の不安定さで蛇行が生じ易い。【０００６】  なおかつ、不安定な加圧の為、印字画の左右の濃淡の不均等が生じ易い。
【課題を解決するための手段】
【０００７】  本考案は、手動式一輪型ローラースタンプのローラー本体の進行方向と同一方向に固定され、なおかつ、ローラー本体の接地面とその接地面が水平になる様に固定された前後各２輪の補助輪を装着する事によって解決する。
【考案の効果】
【０００８】  以上の様に、本考案は補助輪を装着する事によって方向性の安定と加圧の均等化の結果、従来の一輪式で防げなかった蛇行及び左右の濃淡の不均等を解決できる。その効果は、印字画の失敗を減少させる事になり印刷時間の短縮及びインク消耗の減少につながる。
【図面の簡単な説明】
【０００９】
【図１】  本考案に係る補助輪付きローラースタンプの側面図である。
【図２】  本考案に係る補助輪付きローラースタンプの底面図である。
【符号の説明】
【００１０】  １ａ〜１ｄ・・・補助輪
２ａ〜２ｂ・・・補助輪車軸
３・・・・・・・ローラースタンプ本体
４ａ〜４ｂ・・・ローラースタンプ本体車軸
５・・・・・・・接地面
６ａ〜６ｂ・・・進行方向
【図１】
0003160144.tif 000003
【図２】
0003160144.tif 000004
【手続補正書】
【提出日】平成22年3月18日(2010.3.18)
【手続補正１】
【補正対象書類名】実用新案登録請求の範囲
【補正対象項目名】全文
【補正方法】変更
【補正の内容】
【実用新案登録請求の範囲】
【請求項１】
回転式印字・印画用ローラースタンプの保護と手動用取っ手を兼ねた立方体の形状を有する本体に、進行方向に対してその前後部に車軸及び軸受けが同一方向の各２輪の補助輪、及び本体中央部に車軸と軸受けを備えたローラースタンプ１ヶを有し、その補助輪及びローラースタンプの接地面が同一の平面上に位置する事を特徴とする手動ローラースタンプ。